(57)【要約】【課題】アプリケーションシステム効率を向上できるカードリーダを提供する。【解決手段】本考案に係るアプリケーションシステム効率を向上できるカードリーダは、外部メモリドライブを有するアプリケーションシステム内にインサートされ、少なくとも一つのメモリカードコネクタ、フラッシュメモリ及び制御ユニットを含む。その中で、メモリカードコネクタは、メモリカードを差し込むためのもので、フラッシュメモリは、外部メモリドライブが駆動整合するためのメモリである。制御ユニットは、メモリカードコネクタとフラッシュメモリとに電気的に接続され、メモリカード及びフラッシュメモリは制御ユニットを介してアプリケーションシステムとデータ転換を行える。よって、フラッシュメモリは、アプリケーションシステムの延出メモリになり、アプリケーションシステム全体のメモリスペースが増加され、アプリケーションシステム効率を向上できる。【選択図】図２
0003135738.tif 000002
【実用新案登録請求の範囲】
【請求項１】
アプリケーションシステムに読取され、アプリケーションシステム効率を向上できるカードリーダであって、
対応規格のメモリカードを差し込むための少なくとも一つのメモリカードコネクタと、
アプリケーションシステムの延出メモリになるフラッシュメモリと、
前記メモリカードコネクタと前記フラッシュメモリとに電気的に接続され、前記メモリカード及び前記フラッシュメモリをその制御の基で前記アプリケーションシステムとデータ転換を行わせる制御ユニットとを含むカードリーダ。
【請求項２】
前記カードリーダは前記アプリケーションシステムにインサートされることを特徴とする請求項１記載のカードリーダ。
【請求項３】
前記制御ユニットは、異なるロジックユニットナンバー(LUM)により前記メモリカードコネクタ及び前記フラッシュメモリを制御し、相互に独立のロジックユニットに区分することを特徴とする請求項１記載のカードリーダ。
【請求項４】
さらに、
前記制御ユニットに電気的に接続され、前記アプリケーションシステムのシステム接続ポートに対応して挿着され、前記制御ユニットと前記アプリケーションシステムの間で転換されるデータを転送するインターフェース接続ポートと、
前記インターフェース接続ポートに電気的に接続され、インターフェース接続ポートから転送されたシステム電圧を受け、それを変換して出力電圧を発生させ、前記制御ユニット、前記メモリカードコネクタ及び前記フラッシュメモリに供給する電圧変換ユニットと、を含むことを特徴とする請求項１記載のカードリーダ。
【請求項５】
請求項１〜請求項４の何れか１項に記載のカードリーダを有するアプリケーションシステム。
【請求項６】
さらに、
前記フラッシュメモリを前記アプリケーションシステムの延出メモリとして駆動整合する外部メモリドライブと、
前記アプリケーションシステムの延出メモリに接続し制御するバッファメモリ制御モジュールと、を含み、
前記外部メモリドライブ及び前記バッファメモリ制御モジュールは、前記アプリケーションシステムのストレージデバイスに設けられることを特徴とする請求項５記載のアプリケーションシステム。
【考案の詳細な説明】
【技術分野】
【０００１】
本考案は、カードリーダに係り、特に、アプリケーションシステム内にインサートされアプリケーションシステム効率を向上できるカードリーダに係る。
【背景技術】
【０００２】
パソコンの使用は既に広く普及し、仕事や娯楽または学習用途のいずれにおいても、人々が毎日頼られなければならない使用ツールになっている。科学技術の急速な発展に伴い、パソコンの関連領域において、ハードウェアデバイスやアプリケーションソフトウェア、作業システムなどの各方面における技術も、それらの発展に応じて進歩し更新されている。
【０００３】
ユーザにとって、通常パソコンハードウェアデバイスの交換頻度は、アプリケーションソフトウェアの更新より頻繁ではない。すなわち、ワンセットのハードウェアデバイスは、一般に大部分のアプリケーションソフトウェアのニーズに適合できるが、現在の作業システムの推進を考えれば、作業システムの機能が益々大きくなるので、整合しているソフトウェアも多くなり、その場合、作業システム自体が占めるハードウェア資源もそれに応じて増加する。この時、ユーザはより新しい作業システムを交換しようとすると、効率を向上させ運用を適切にするためには、パソコンのハードウェアデバイスの更新も同時に考えなければならない。そうでなければ、作業システム自体がスムーズに運行できないだけではなく、作業システムにインストールされたアプリケーションソフトウェアまでもが、好適な使用状況を獲得できなくなる。
【０００４】
パソコンハードウェアの効率を向上させる最も主要な方式は、システムメモリ(DRAM)を増加させることから着手することである。しかしながら、システムメモリを追加購入することによって効率を向上させる方法は、ユーザの消費コストが増加するだけでなく、自分が使用しているメインボードがサポートできるか否か、或いは、サポート可能な総数を考えなければならず、ある時には古いシステムメモリを交換しなければ拡大できず、また更には元々使用しているメインボードまでも一緒に交換しなければならず、このようなことになれば、ユーザにとってコストがますます増加し浪費になる。
【０００５】
一方、メモリカードの使用が益々広がり、カードリーダも人々に徐々に広く使われるようになっている。従来のカードリーダの人々に良く知られている利点は、携帯に便利である点や、多種のメモリカードをサポートする点、並びにパソコンとの間でデータを転送し易い点等であり、これらにより、カードリーダは現在ではメモリカードとパソコンとの間の最も便利な転送媒介となった。そのため、ユーザが自分のパソコンのためにカードリーダを追加購入する時に、カードリーダの応用機能と共にアプリケーションシステム効率を向上する効果も同時に持ち、より低いコストだけで効率を向上させることができるようになるのが望ましい。
【考案の開示】
【考案が解決しようとする課題】
【０００６】
上記に鑑みて、本考案が解決しようとする技術問題は、フラッシュメモリの設計をカードリーダに内蔵させ、アプリケーションシステムにおいては、メモリ機能を整合するプログラムにあわせて、フラッシュメモリをシステムのメモリとして使用させ、メモリを拡大してアプリケーションシステム効率を向上させる目的を達成することにある。本考案の構想によれば、ユーザは、カードリーダの応用機能を持つことができるだけでなく、自分が使用しているアプリケーションシステムに対してメモリを拡大してアプリケーションシステム効率を確実に向上させることができるようになる。
【課題を解決するための手段】
【０００７】
前記目的を達成するため、本考案に係る一方案は、外部メモリドライブ(External Memory Drive)を有するアプリケーションシステムのケース内にインサートされ、少なくとも一つのメモリカードコネクタ、フラッシュメモリ及び制御ユニットを含むアプリケーションシステム効率を向上できるカードリーダを提供する。そのうち、メモリカードコネクタは、対応規格のメモリカードを差し込むためのもので、フラッシュメモリは、外部メモリドライブが作動される時に駆動整合するためのメモリである。制御ユニットは、メモリカードコネクタとフラッシュメモリとに電気的に接続され、かつアプリケーションシステムに接続され、メモリカード及びフラッシュメモリは制御ユニットによりアプリケーションシステムとデータ転換を行える。よって、該フラッシュメモリは、外部メモリドライブの整合によりアプリケーションシステムの延出メモリになり、アプリケーションシステム全体のメモリスペースが増加され、アプリケーションシステム効率を向上する目的を達成する。
【０００８】
以下、本考案に関わる詳しい説明を添付図面を参照しながら行う。これにより本考案に係る特徴および技術内容をより深く理解できるが、それらの添付図面は参考及び説明のみに使われ、本考案の主張範囲を狭義的に局限するものではないことは言うまでもないことである。
【考案を実施するための最良の形態】
【０００９】
図１は、本考案に係るアプリケーションシステム効率を向上できるカードリーダを示す模式図である。図に示すように、本考案は、アプリケーションシステム１内にインサートされるカードリーダ１０を提供する。本実施例のアプリケーションシステム１は、卓上型パソコンを例として説明するが、その他にも、アプリケーションシステム１は、例えば、ノートパソコンまたは他の作業システムの装置であっても良い。
【００１０】
本考案に係るカードリーダ１０は、少なくとも一つのメモリカードコネクタ１０１、フラッシュメモリ１０２、制御ユニット１０３及びインターフェース接続ポート１０４を含む。メモリカードコネクタ１０１は、ユーザが対応規格のメモリカード２を差し込むためのもので、例えば、本実施例では４つのメモリカードコネクタ１０１が設けられ、それぞれ異なるメモリカード２（例えば、ＣＦカード：Compact Flash Cardなど）が差し込まれる。ユーザに使用されているメモリカード２は、カードリーダ１０によりアプリケーションシステム１とデータアクセスを行える。メモリカードコネクタ１０１の実際の態様は、図示したように、それぞれが単一の転送規格のメモリカードコネクタであっても良いが、例えば、複数の転送規格が設計された多数合一のメモリカードコネクタであっても良い。
【００１１】
本考案に係るフラッシュメモリ１０２（例えば、NAND型フラッシュメモリ）は、ユーザがデータアクセスを行うために供される以外、主としてアプリケーションシステム１の延出メモリとして使用され、アプリケーションシステム１に外部から接続されたフラッシュメモリ１０２を、システム自体に用いる延出メモリに整合させることによって、システム全体のメモリスペースを増加させ、アプリケーションシステム１の処理効率を向上させることができる。制御ユニット１０３は、アプリケーションシステム１に接続され、アプリケーションシステム１は、カードリーダ１０の演算処理によりメモリカード２及び／またはフラッシュメモリ１０２と、データ転送及び転換を行える。
【００１２】
一方、インターフェース接続ポート１０４は、例えば、信号接続線（図示せず）を介してアプリケーションシステム１に接続され、データ転送の作用を達成する。本考案に係るカードリーダ１０は、インサート式のカードリーダ１０であるため、フラッシュメモリ１０２が所定のアプリケーションシステム１の延出メモリとして使用されるようになり、携帯式ディスク装置はアプリケーションシステム１と何時でも離脱できるため、アプリケーションシステム１は装置を移動させる前に内部のデータをアプリケーションシステム１の所定のストレージデバイス（例えば、ハードディスク）内に転送しなければならないことはなく、システム占用の実行プログラムを減少できる。
【００１３】
本考案の技術特徴をより詳しく説明するため、図２及び図３を同時に参照すると、図２及び図３は本考案に係るアプリケーションシステム効率を向上できるカードリーダの実施例のブロック図及びその一部参考回路図である。図に示すように、本考案に係るカードリーダ１０がインサートされるアプリケーションシステム１は、外部メモリドライブ１１１を有し、アプリケーションシステム１が起動される時に外部メモリドライブ１１１を実行しカードリーダ１０内のフラッシュメモリ１０２を駆動整合させ、それによりフラッシュメモリ１０２がアプリケーションシステム１の延出メモリになり、元々のシステムメモリ(DRAM)とともにアプリケーションシステム１のアクセスに用いられる。つまり、アプリケーションシステム１における使用できるメモリスペース全体が増加されるため、アプリケーションシステム１は、本考案に係るカードリーダ１０をインサートすることによって、効率を向上させるという目的を達成できる。
【００１４】
カードリーダ１０の構造についていうと、メモリカードコネクタ１０１は、ユーザがメモリカード２を差し込むためのもので、制御ユニット１０３は、メモリカードコネクタ１０１とフラッシュメモリ１０２とに電気的に接続される一方、アプリケーションシステム１に接続し、メモリカード２及びフラッシュメモリ１０２は制御ユニット１０３を介してアプリケーションシステム１とデータ転換をする。また、インターフェース接続ポート１０４は制御ユニット１０３に電気的に接続され、またアプリケーションシステム１のシステム接続ポート１２に対応して挿着され、制御ユニット１０３とアプリケーションシステム１の間で転換されるデータを転送する。実際の応用上では、インターフェース接続ポート１０４及びその対応して挿着されるシステム接続ポート１２は、例えば、USBまたはSATAの転送インターフェースである。
【００１５】
また、カードリーダ１０は、さらに、インターフェース接続ポート１０４に電気的に接続され、インターフェース接続ポート１０４から転送されたシステム電圧（例えば、５Ｖ）を受け、それを変換して出力電圧（例えば、３．３Ｖ）を発生させ、かつ制御ユニット１０３、メモリカード２及びフラッシュメモリ１０２にそれぞれ供給する電圧変換ユニット１０５を含む。本実施例は、説明を容易にするため、電圧変換ユニット１０５が制御ユニット１０３外部に設けられる方式で設計されているが、実際に応用する時には、電圧変換ユニット１０５が制御ユニット１０３内部に内蔵されコストを低下させるように設計しても良い。
【００１６】
また、アプリケーションシステム１は、外部メモリドライブ１１１を有する外、さらに、アプリケーションシステム１のうち外部メモリドライブ１１１により整合されたメモリスペース全体を制御するバッファメモリ制御モジュール１１２を含み、これによりアプリケーションシステム１が全てのメモリスペースを利用できるようになり、十分な空間を形成してユーザに良く使われるファイルを自動で予めダウンロードし、アプリケーションシステム１の反応時間を向上させる。前記のバッファメモリ制御モジュール１１２及び外部メモリドライブ１１１は、例えば、アプリケーションシステム１のストレージデバイス１１内に格納され、システム接続ポート１２とインターフェース接続ポート１０４の接続により、カードリーダ１０内のフラッシュメモリ１０２を整合する及び制御する目的を達成する。また、外部メモリドライブ１１１及びバッファメモリ制御モジュール１１２は、実際の設計の時には、アプリケーションシステム１の作業システム（例えば、マイクロソフトVista作業システムに内蔵されるReady Boost及びReady-Driveの機能）に内蔵されても良いし、或いは作業システムのソフトウェアプログラムに外接する等の異なる方式であっても良い。
【００１７】
本考案に係るカードリーダ１０は、実際にアプリケーションシステム１に応用される時に、カードリーダ１０内の制御ユニット１０３が、フラッシュメモリ１０２及びメモリカードコネクタ１０１に対して、異なるロジックユニットナンバーにそれぞれ設けられるため、フラッシュメモリ１０２及びメモリカードコネクタ１０１がそれぞれ互いに独立したロジックユニットになる。そのため、アプリケーションシステム１のうちカードリーダ１０に対応して表示されるディスクスロットは、それぞれした独立のディスクであり、例えば、カードリーダ１０が４つのメモリカードコネクタ１０１を有すると、一つのフラッシュメモリ１０２も有するため、アプリケーションシステム１は５つの着脱可能なディスクスロットを示す装置となる。そのため、フラッシュメモリ１０２は、ユーザにとって、アプリケーションシステム１の延出メモリとするものだけではなく、ユーザが一般のデータファイルを格納するストレージデバイスとして使用してもよい。
【００１８】
以上のように、本考案は、アプリケーションシステム効率を向上できるカードリーダであり、アプリケーションシステムにインサートされる構造によって、カードリーダ内に増設されたフラッシュメモリがアプリケーションシステムの延出メモリとして固定的に形成されるようになり、アプリケーションシステムの所定の効率を維持でき、ユーザはカードリーダを購買すると、メモリカードをアクセスする機能を有する外に、アプリケーションシステム自体の効率も向上できる。このようにして、カードリーダの実用性及び多用途性を大幅に増加できる。
【００１９】
以上は、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００２０】
【図１】図１は、本考案に係るアプリケーションシステム効率を向上できるカードリーダを示す模式図である。
【図２】図２は、本考案に係るアプリケーションシステム効率を向上できるカードリーダの実施例のブロック図である。
【図３】図３は本考案に係るカードリーダの一部の参考回路図である。
【符号の説明】
【００２１】
１  アプリケーションシステム
２  メモリカード
１０  カードリーダ
１１  ストレージデバイス
１２  システム接続ポート
１０１  メモリカードコネクタ
１０２  フラッシュメモリ
１０３  制御ユニット
１０４  インターフェース接続ポート
１０５  電圧変換ユニット
１１１  外部メモリドライブ
１１２  バッファメモリ制御モジュール
【図１】
0003135738.tif 000003
【図２】
0003135738.tif 000004
【図３】
0003135738.tif 000005